(57)【要約】【課題】尿素ＳＣＲ触媒に添加する尿素水が減少してもＮＯxの排出を十分に抑制しつつ車両の運行に支障を来たさないように図った車両用内燃機関の排気浄化システムを提供する。【解決手段】尿素の残量が所定量にまで低下したとき(S12)、該所定量の尿素の残量によって尿素ステーションまでの距離を内燃機関の現在の運転状態のまま車両が走行可能か否かを判定し(S14,S16)、走行可能と判定されたときには該現在の運転状態を維持する一方(S15)、走行不能と判定されたときには尿素ＳＣＲ触媒のＮＯx浄化機能を維持しつつ車両の走行距離を延長するよう内燃機関と尿素の使用量との協調制御を実施する(S22)。【選択図】図２
2007255367.tif 000002
【特許請求の範囲】
【請求項１】
車両に搭載された内燃機関の排気通路に設けられ、尿素存在のもとＮＯxを選択的に還元し浄化する尿素選択還元型ＮＯx触媒と、
該尿素選択還元型ＮＯx触媒の排気上流側に位置して設けられ、該尿素選択還元型ＮＯx触媒に尿素を供給する尿素供給手段と、
尿素を貯留しておく尿素タンクと、
該尿素タンク内の尿素の残量を検出する尿素残量検出手段と、
尿素を補充可能な尿素ステーションの位置を検出し車両から該尿素ステーションまでの距離を検出する尿素ステーション検出手段と、
前記尿素残量検出手段により検出される尿素の残量が所定量にまで低下したとき、該所定量の尿素の残量で前記尿素ステーション検出手段により検出される前記尿素ステーションまでの距離を内燃機関の現在の運転状態のまま車両が走行可能か否かを判定する走行可否判定手段と、
該走行可否判定手段により車両が前記尿素ステーションまでの距離を内燃機関の現在の運転状態のまま走行可能と判定されたときには該現在の運転状態を維持する一方、走行不能と判定されたときには前記尿素選択還元型ＮＯx触媒のＮＯx浄化機能を維持しつつ車両の走行距離を延長するよう内燃機関と尿素の使用量との協調制御を実施する制御手段と、
を備えたことを特徴とする車両用内燃機関の排気浄化システム。
【請求項２】
さらに、前記尿素残量検出手段により検出された尿素の残量が所定量にまで低下したことを報知する尿素残量報知手段と、前記尿素ステーション検出手段により検出された前記尿素ステーションの位置を報知する尿素ステーション位置報知手段とを含むことを特徴とする、請求項１記載の車両用内燃機関の排気浄化システム。
【請求項３】
前記制御手段は、前記走行可否判定手段により車両が前記尿素ステーションまでの距離を内燃機関の現在の運転状態のままでは走行不能と判定されたとき、該尿素ステーションまでの距離に対する必要尿素量を内燃機関の現在の運転状態に基づき推定し、該推定された必要尿素量と現在の尿素の残量との比に基づいて内燃機関から排出されるＮＯxの量を抑制する方向に内燃機関の運転状態を制限するとともに尿素の使用量をも制限する協調制御を実施することを特徴とする、請求項１または２記載の車両用内燃機関の排気浄化システム。
【請求項４】
さらに、前記走行可否判定手段により車両が前記尿素ステーションまでの距離を走行不能と判定されて前記協調制御が実施されるとき、該協調制御を実施中であることを警告する警告手段を含むことを特徴とする、請求項１乃至３のいずれか記載の車両用内燃機関の排気浄化システム。
【発明の詳細な説明】
【技術分野】
【０００１】
本発明は、車両用内燃機関の排気浄化システムに係り、特に、尿素ＳＣＲ触媒を用いたシステムに関する。
【背景技術】
【０００２】
近年、車両に搭載された内燃機関（エンジン）から排出されるＮＯxを浄化するＮＯｘ触媒が種々開発されており、例えば、選択還元型ＮＯｘ触媒（ＳＣＲ触媒）を用い、尿素水を添加することでＮＯxを除去することの可能な尿素選択還元型ＮＯx触媒（尿素ＳＣＲ触媒）が開発されている。
そして、このような尿素ＳＣＲ触媒を搭載した車両では、尿素ＳＣＲ触媒に添加する尿素水を尿素水タンクに貯留しており、当該尿素水タンクに尿素水を適宜補充するようにしている。
【０００３】
この場合、尿素水を補充するにあたり尿素水の残量を把握する必要があり、例えば尿素水タンク内に液位センサを設け、当該液位センサで尿素水の残量を検出することで尿素水の残量を知らせたり、尿素水の残量が所定量に達すると或いは尿素水タンクが空になると尿素水の使用量を減らすべくエンジン出力を制限してＮＯxの発生を抑える構成の装置が開発されている（特許文献１、２参照）。
【特許文献１】特開２００２−３７１８３１号公報
【特許文献２】特開２００５−１４７１１８号公報
【発明の開示】
【発明が解決しようとする課題】
【０００４】
ところで、現在、尿素水を補充するための尿素ステーションが複数設けられつつあり、通常は契約等により特定された尿素ステーション或いは一般の尿素ステーションにおいて尿素水を補充するようにしている。
しかしながら、尿素ステーションは各地に点在しており、運転者は尿素ステーションの場所を十分に把握しているとは限らず、尿素水の残量が低下しても土地勘のない場所等では尿素ステーションを探す手間がかかるという問題がある。
【０００５】
さらに、上記特許文献に開示される如く尿素水が所定量まで減少したら一律にエンジン出力を制限するようにすると、実際には尿素ステーションまで比較的近い距離にも拘わらず不必要にエンジン出力が制限されてしまうという問題がある。
このように尿素ステーションを探す手間がかかったり不必要にエンジン出力が制限されてしまうと車両の運行に支障を来たし好ましいことではない。
【０００６】
また、尿素水の使用量を減らすべくエンジン出力を制限してＮＯxの発生を抑える必要が生じた場合であっても、エンジン出力を制限すべく燃料供給量を一律に減らすだけではやはり車両の運行に支障を来たし兼ねない。
本発明はこのような問題点を解決するためになされたもので、その目的とするところは、尿素ＳＣＲ触媒に添加する尿素水が減少してもＮＯxの排出を十分に抑制しつつ車両の運行に支障を来たさないように図った車両用内燃機関の排気浄化システムを提供することにある。
【課題を解決するための手段】
【０００７】
上記目的を達成するため、請求項１の車両用内燃機関の排気浄化システムは、車両に搭載された内燃機関の排気通路に設けられ、尿素存在のもとＮＯxを選択的に還元し浄化する尿素選択還元型ＮＯx触媒と、該尿素選択還元型ＮＯx触媒の排気上流側に位置して設けられ、該尿素選択還元型ＮＯx触媒に尿素を供給する尿素供給手段と、尿素を貯留しておく尿素タンクと、該尿素タンク内の尿素の残量を検出する尿素残量検出手段と、尿素を補充可能な尿素ステーションの位置を検出し車両から該尿素ステーションまでの距離を検出する尿素ステーション検出手段と、前記尿素残量検出手段により検出される尿素の残量が所定量にまで低下したとき、該所定量の尿素の残量で前記尿素ステーション検出手段により検出される前記尿素ステーションまでの距離を内燃機関の現在の運転状態のまま車両が走行可能か否かを判定する走行可否判定手段と、該走行可否判定手段により車両が前記尿素ステーションまでの距離を内燃機関の現在の運転状態のまま走行可能と判定されたときには該現在の運転状態を維持する一方、走行不能と判定されたときには前記尿素選択還元型ＮＯx触媒のＮＯx浄化機能を維持しつつ車両の走行距離を延長するよう内燃機関と尿素の使用量との協調制御を実施する制御手段とを備えたことを特徴とする。
【０００８】
また、請求項２の車両用内燃機関の排気浄化システムでは、請求項１において、さらに、前記尿素残量検出手段により検出された尿素の残量が所定量にまで低下したことを報知する尿素残量報知手段と、前記尿素ステーション検出手段により検出された前記尿素ステーションの位置を報知する尿素ステーション位置報知手段とを含むことを特徴とする。
また、請求項３の車両用内燃機関の排気浄化システムでは、請求項１または２において、前記制御手段は、前記走行可否判定手段により車両が前記尿素ステーションまでの距離を内燃機関の現在の運転状態のままでは走行不能と判定されたとき、該尿素ステーションまでの距離に対する必要尿素量を内燃機関の現在の運転状態に基づき推定し、該推定された必要尿素量と現在の尿素の残量との比に基づいて内燃機関から排出されるＮＯxの量を抑制する方向に内燃機関の運転状態を制限するとともに尿素の使用量をも制限する協調制御を実施することを特徴とする。
【０００９】
また、請求項４の車両用内燃機関の排気浄化システムでは、請求項１乃至３のいずれかにおいて、さらに、前記走行可否判定手段により車両が前記尿素ステーションまでの距離を走行不能と判定されて前記協調制御が実施されるとき、該協調制御を実施中であることを警告する警告手段を含むことを特徴とする。
【発明の効果】
【００１０】
請求項１の車両用内燃機関の排気浄化システムによれば、尿素選択還元型ＮＯx触媒を有した排気浄化システムにおいて、尿素残量検出手段により検出される尿素の残量が所定量にまで低下すると、該所定量の尿素の残量で尿素ステーション検出手段により検出される尿素ステーションまでの距離を内燃機関の現在の運転状態のまま車両が走行可能か否かを走行可否判定手段で判定し、車両が尿素ステーションまでの距離を内燃機関の現在の運転状態のまま走行可能と判定されたときには該現在の運転状態を維持するので、尿素の残量が所定量にまで低下しても内燃機関の出力を不必要に制限しないようにして車両の運行に支障を来たさないようにできる。
【００１１】
一方、車両が尿素ステーションまでの距離を内燃機関の現在の運転状態のまま走行不能と判定されたときには尿素選択還元型ＮＯx触媒のＮＯx浄化機能を維持しつつ車両の走行距離を延長するよう内燃機関と尿素の使用量との協調制御を実施するので、尿素の使用量を抑えながらＮＯxの排出を十分に抑制しつつ走行距離を延ばすようにでき、やはり車両の運行に支障を来たさないようにできる。
【００１２】
請求項２の車両用内燃機関の排気浄化システムによれば、尿素の残量が所定量にまで低下したことを報知し、尿素ステーションの位置を報知するようにしたので、車両の運転者は尿素の残量が所定量にまで低下したことを知るとともに最寄りの尿素ステーションの位置を容易に知ることができ、運転者が尿素ステーションを探す手間を省くことができ、やはり車両の運行に支障を来たさないようにできる。
【００１３】
また、このように最寄りの尿素ステーションの位置を容易に知ることができることになると、尿素が減少したときには最寄りの尿素ステーションに立ち寄って即座に尿素を補充可能となり、尿素タンクの容量を必要最小限に抑えることができる。
請求項３の車両用内燃機関の排気浄化システムによれば、車両が尿素ステーションまでの距離を内燃機関の現在の運転状態のまま走行不能と判定されたときには、尿素ステーションまでの距離に対する必要尿素量を内燃機関の現在の運転状態に基づき推定し、該推定された必要尿素量と現在の尿素の残量との比に基づいて内燃機関から排出されるＮＯxの量を抑制する方向に内燃機関の運転状態を制限するとともに尿素の使用量をも制限する協調制御を実施するので、尿素の使用量を抑えながらＮＯxの排出を十分に抑制しつつ走行可能範囲の外の最寄りの尿素ステーションまで車両の運行に支障を来たすことなく到達することができる。
【００１４】
請求項４の車両用内燃機関の排気浄化システムによれば、走行可否判定手段により車両が尿素ステーションまでの距離を走行不能と判定されて協調制御が実施されるときには協調制御実施中であることを警告するようにしたので、車両の運転者は協調制御実施中であることを知ることができ、運転者が協調制御に伴う内燃機関の出力低下等の違和感を覚えないようにできる。
【発明を実施するための最良の形態】
【００１５】
図１には、本発明に係る車両用内燃機関の排気浄化システムが概略的に示されている。
エンジン１は例えば４気筒ディーゼルエンジンからなり、各気筒には燃料噴射弁５が配設されている。
エンジン１の排気通路６からは吸気通路２に向けてＥＧＲ通路７が延びており、ＥＧＲ通路７にはＥＧＲ量を調節するＥＧＲ弁８が設けられている。
【００１６】
排気通路６には、排気中のＮＯxを浄化可能な尿素選択還元型ＮＯx触媒（尿素添加式のSelective Catalytic Reduction  ＮＯx触媒、以下、尿素ＳＣＲ触媒という）１０が介装されており、尿素ＳＣＲ触媒１０の排気上流側には、還元剤として例えば尿素水を排気通路６に供給する尿素噴射弁（尿素供給手段）１２が設けられている。尿素噴射弁１２は管路１２ａを介して尿素水を貯蔵する尿素タンク１３に接続されている。そして、尿素タンク１３には、尿素水の液位を検出する液位センサ（尿素残量検出手段）１４が設けられている。
【００１７】
即ち、本発明に係る排気浄化システムは、尿素ＳＣＲ触媒１０と尿素噴射弁１２と尿素タンク１３とから構成されており、尿素噴射弁１２から尿素水が噴射されると、排ガスの熱により尿素水が加水分解されてアンモニアが生成され、当該アンモニアが尿素ＳＣＲ触媒１０に供給されて尿素ＳＣＲ触媒１０が還元雰囲気となり、排気中のＮＯxが当該アンモニアと反応することによって還元除去される。
【００１８】
尿素ＳＣＲ触媒１０の排気下流側には、尿素ＳＣＲ触媒１０を経て排出される排気中のＮＯx濃度を検出するＮＯxセンサ１６が設けられている。
ＥＣＵ（電子コントロールユニット）２０は、エンジン１を含めた本発明に係る車両用内燃機関の排気浄化システムの総合的な制御を行うための制御装置であり、ＣＰＵ、メモリ、タイマカウンタ等から構成されている。
【００１９】
ＥＣＵ２０の入力側には、上記ＮＯxセンサ１６やアクセルペダル２３のアクセル開度を検出するアクセルポジションセンサ（ＡＰＳ）２４等の各種センサ類が接続されている。一方、ＥＣＵ２０の出力側には、上記燃料噴射弁５、ＥＧＲ弁８、尿素噴射弁１２や運転警告灯（警告手段）２２、尿素警告灯２６（尿素残量報知手段）等の各種デバイス類が接続されており、これら各種デバイス類は上記各種センサ類からの情報に基づき作動制御される。
【００２０】
特に、本発明に係る車両用内燃機関の排気浄化システムでは、グローバルポジショニングシステム（ＧＰＳ）が採用されており、ＥＣＵ２０にはさらにＧＰＳ本体３０が入出力可能に接続され、ＧＰＳ本体３０には人工衛星からの位置情報を入手するＧＰＳセンサ３２が接続されている。なお、ＧＰＳとしては公知のものが適用され、その機能の詳細な説明についてはここでは省略する。
【００２１】
ＧＰＳ本体３０には、広範囲に亘る地図情報が記憶され、少なくとも尿素水を補給可能な各地の尿素ステーションの位置情報が入力されており、ＧＰＳ本体３０は、自車両周辺の地図とともに尿素ステーションの位置及び自車両から尿素ステーションまでの計測距離を画面に表示可能に構成されている（尿素ステーション検出手段、尿素ステーション位置報知手段）。
【００２２】
以下、このように構成された本発明に係る車両用内燃機関の排気浄化システムの作用及び効果について説明する。
図２を参照すると、本発明に係る排気浄化システムの制御ルーチンがフローチャートで示されており、以下同フローチャートに基づき説明する。
ステップＳ１０では、液位センサ１４からの情報に基づき尿素タンク１３内の尿素水が欠乏状態であるか否かを判別する。例えば尿素水を補充した直後等には尿素タンク１３内には尿素水が満たされており、このような場合には判別結果は偽（Ｎｏ）であり、ステップＳ１２に進む。なお、液位センサ１４によらずＮＯxセンサ１６がＮＯxを検出したことをもって尿素水の欠乏状態を判定することも可能である。
【００２３】
ステップＳ１２では、液位センサ１４からの情報に基づき今度は尿素タンク１３内の尿素水が所定量未満であるか否かを判別する。上述の如く尿素水を補充した直後等には尿素タンク１３内には尿素水が満たされており、この場合には判別結果は偽（Ｎｏ）であり、上記ステップＳ１０に戻る。一方、車両の走行により尿素水が尿素ＳＣＲ触媒１０に供給され、尿素タンク１３内の尿素水が減少して所定量未満になった場合には、判別結果は真（Ｙｅｓ）であり、ステップＳ１３において尿素警告灯２６を点灯させて尿素量の警告を行った後、ステップＳ１４に進む。
【００２４】
ステップＳ１４では、所定量の尿素水で現在のエンジン１の運転状態のまま走行して最寄りの設定尿素ステーションまで到達可能か否かを判定する（走行可否判定手段）。ここに、設定尿素ステーションとは例えば契約等により予め尿素水の補給場所として指定された尿素ステーションである。
具体的には、上記ＧＰＳを用いて自車両の周辺に設定尿素ステーションが存在しているか否かを検索し、存在している場合には自車両から当該設定尿素ステーションまでの距離を演算し、予め求めたエンジン１の運転状態に応じた走行距離に対する尿素水の使用量比に基づき、この距離を所定量の尿素水で現在のエンジン１の運転状態のままに走行可能か否かを判定する。この場合、設定尿素ステーションまでの距離については直線距離ではなく道路に沿った距離を演算するのが好ましい。
【００２５】
ステップＳ１４の判別結果が真（Ｙｅｓ）で、現在のエンジン１の運転状態のまま走行して設定尿素ステーションまで到達可能と判定された場合には、ステップＳ１５に進み、そのまま通常制御を行い、現在のエンジン１の運転状態を維持する（制御手段）。
このように、本発明に係る車両用内燃機関の排気浄化システムでは、尿素タンク１３内の尿素水が所定量未満になったとしても、設定尿素ステーションまで到達可能であるときには現在のエンジン１の運転状態を維持するようにしている。従って、尿素タンク１３内の尿素水の残量が所定量にまで低下したとしてもエンジン１の出力を不必要に制限しないようにでき、車両の運行に支障を来たさないようにできる。
【００２６】
一方、ステップＳ１４の判別結果が偽（Ｎｏ）で到達不能と判定された場合には、ステップＳ１６に進む。
ステップＳ１６では、所定量の尿素水で現在のエンジン１の運転状態のまま走行して上記設定尿素ステーション以外の最寄りの一般の尿素ステーションまで到達可能か否か、即ち走行可能範囲内に尿素ステーションが有るか否かを上記同様に判定する（走行可否判定手段）。判別結果が真（Ｙｅｓ）で走行可能範囲内に尿素ステーションが有る場合には、ステップＳ１８に進み、ＧＰＳ本体３０に尿素ステーションの位置を表示する。
【００２７】
尿素警告灯２６が点灯し且つ最寄りの尿素ステーションの位置がＧＰＳ本体３０に表示されることになると、車両の運転者は尿素水を補給すべきことを容易に認識でき、また、一般の尿素ステーションは未知であることが多いのであるが、当該表示された尿素ステーションに向け走行することで、尿素ステーションを探す手間なく車両の運行に支障を来たすことなく速やかに尿素水を補充することが可能である。
【００２８】
また、このように最寄りの尿素ステーションの位置を容易に知ることができることになると、尿素が減少したときには当該最寄りの尿素ステーションに立ち寄って即座に尿素を補充可能であり、尿素タンク１３の容量を必要最小限に抑えることができ、車両の軽量化を図ることができるという利点もある。
そして、ステップＳ１５において、上記同様にそのまま通常制御を行い、現在のエンジン１の運転状態を維持する。
【００２９】
これにより、上記同様、エンジン１の出力を不必要に制限しないようにでき、車両の運行に支障を来たさないようにできる。
一方、ステップＳ１６の判別結果が偽（Ｎｏ）で、走行可能範囲内に尿素ステーションが無い場合には、ステップＳ２０に進む。
ステップＳ２０では、ステップＳ１６の判別結果を受けて運転警告灯２２を点灯させて警告を行い、ステップＳ２２に進む。
【００３０】
ステップＳ２２では、現在のエンジン１の運転状態のままでは尿素ステーションまで到達できないことから、ＮＯxの排出を抑えつつ最寄りの尿素ステーションに到達できるよう、或いは極力走行距離を延長できるようエンジン１と尿素水使用量との協調制御を実施する（制御手段）。
例えば現在のエンジン１の運転状態のままでは到達できないものの走行可能範囲の外に尿素ステーションが存在していることが判っている場合には、現在のエンジン１の運転状態に基づいて当該走行可能範囲の外の尿素ステーションまでの走行距離に対する必要尿素量を推定し、当該推定された必要尿素量と現在の尿素水の残量との比に基づいて当該尿素ステーションまでの距離をＮＯxの浄化を維持しつつ走行可能なエンジン１の運転状態を求め、当該運転状態となるようにエンジン１を制御する。つまり、尿素水使用量を抑制するためのエンジン１の制御を実施する。
【００３１】
具体的には、ＡＰＳ２４からのアクセル開度情報に対して制限を加えて燃料噴射弁５からの燃料噴射量を減少させてエンジン出力を尿素水の残量に応じて制限し、さらに、燃料噴射弁５の燃料噴射時期を例えば遅角させて燃焼を緩慢にするとともにＥＧＲ弁８の開度を大きくしてＥＧＲ量を増量することでＮＯxの排出を極力抑えつつエンジン出力をも制限する。
【００３２】
これにより、エンジン１の運転状態での走行可能範囲内に尿素ステーションが無い場合であっても、走行可能範囲の外の最寄りの尿素ステーションにまでＮＯxの排出を抑えつつ車両の運行に支障を来たすことなく到達可能である。
また、尿素ステーションが周辺に全く存在しておらず遠方にしかないような場合には、所定量の尿素水でＮＯxの排出を抑えつつ極力遠方まで走行可能なエンジン１の運転状態を求め、当該運転状態となるように上記同様にエンジン１を制御する。
【００３３】
これにより、尿素ステーションが周辺に見当たらない僻地であっても、ＮＯxの排出を抑えつつ走行距離を極力延長することが可能である。
なお、上記ステップＳ２０において運転警告灯２２を点灯させているので、車両の運転者は協調制御実施中であることを知ることができ、運転者が協調制御に伴うエンジン出力低下等の違和感を覚えることはない。
【００３４】
一方、上記ステップＳ１０の判別結果が真（Ｙｅｓ）となり、尿素タンク１３内の尿素水が欠乏状態と判定された場合には、もはや尿素ＳＣＲ触媒１０を機能させることができない。従って、この場合には、ステップＳ１０の判別結果を受けてステップＳ２４において、運転警告灯２２を上記ステップＳ２０とは例えば色や点灯方法を変えて点灯させて最寄りの尿素ステーションに急行させるべく警告を行い、ステップＳ２６に進む。
【００３５】
ステップＳ２６では、尿素ＳＣＲ触媒１０を用いることなくＮＯxの排出を極力抑えながら車両の最低限の運行が可能なようにエンジン１の制御を実施する。
具体的には、ＡＰＳ２４からのアクセル開度情報に対して大きく制限を加えて燃料噴射弁５からの燃料噴射量を極力減少させ、さらに、燃料噴射弁５の燃料噴射時期を例えば大きく遅角させて燃焼を極力緩慢にするとともにＥＧＲ弁８の開度を大きくしてＥＧＲ量を極力増量することでＮＯxの排出を大幅に抑えつつエンジン出力を大きく制限する。
【００３６】
これにより、尿素水が欠乏した場合であっても、ＮＯxの排出を極力抑えながら車両の最低限の運行が可能である。
以上で本発明に係る車両用内燃機関の排気浄化システムの一実施形態の説明を終えるが、本発明の実施形態は上記に限定されるものではない。
例えば、上記実施形態では、ステップＳ２２におけるエンジン１と尿素水使用量との協調制御においてエンジン１の出力、燃料噴射時期及びＥＧＲ量を調節するようにしたが、吸排気系にターボチャージャを備える場合には、併せて排気タービンの作動を制御するようにしてもよい。
【００３７】
また、上記実施形態では、設定尿素ステーションと一般の尿素ステーションとを区別して説明したが、必ずしも区別する必要はない。
また、上記実施形態では、運転警告灯２２を点灯させるようにして協調制御実施中であることを運転者に視覚的に知らせるようにしたが、音声で警告を行ってもよい。
また、上記実施形態では、排気後処理装置として尿素ＳＣＲ触媒１０のみ備えた場合を説明したが、これに限られず、本発明は尿素ＳＣＲ触媒１０の前後に酸化触媒等の他の触媒やディーゼルパティキュレートフィルタ（ＤＰＦ）を配設したシステムにおいても良好に適用可能であることは勿論である。
【図面の簡単な説明】
【００３８】
【図１】本発明に係る車両用内燃機関の排気浄化システムを示す概略構成図である。
【図２】本発明に係る排気浄化システムの制御ルーチンを示すフローチャートである。
【符号の説明】
【００３９】
１  エンジン（ディーゼルエンジン）
５  燃料噴射弁
６  排気通路
７  ＥＧＲ通路
８  ＥＧＲ弁
１０  尿素選択還元型ＮＯx触媒（尿素ＳＣＲ触媒）
１２  尿素噴射弁（尿素供給手段）
１３  尿素タンク
１４  液位センサ（尿素残量検出手段）
２０  ＥＣＵ（電子コントロールユニット）
２２  運転警告灯（警告手段）
２４  アクセルポジションセンサ（ＡＰＳ）
２６  尿素警告灯（尿素残量報知手段）
３０  ＧＰＳ本体（尿素ステーション検出手段、尿素ステーション位置報知手段）
３２  ＧＰＳセンサ
【図１】
2007255367.tif 000003
【図２】
2007255367.tif 000004